(57)【要約】【課題】  切断箇所を容易に特定することができるとともに、水平、位置等の確認作業を極めて容易に行うことができる建材用パネル及びその施工方法を提供すること。【解決手段】  パネル本体１１の面に樹脂製フィルム等からなる保護シート１１を貼付して建材用パネル１０が構成されている。保護シート１１の面内には、升目若しくは方眼を形成するように、所定間隔毎の目盛り線１３が形成されている。この建材用パネル１０は、壁面等の施工面に割り付けられ、切断が必要なときに、目盛り線１３を参照しながら切断される。保護シート１２は、施工完了後にパネル本体１１から剥離される。【選択図】      図１
2005248648.tif 000002
【特許請求の範囲】
【請求項１】
パネル本体の面に保護シートが貼付された建材用パネルであって、
前記保護シートの少なくとも外縁側に、所定単位の目盛り線を設けたことを特徴とする建材用パネル。
【請求項２】
前記目盛り線は、パネル本体の縦横に沿ってそれぞれ略平行に延びて升目を形成することを特徴とする請求項１記載の建材用パネル。
【請求項３】
目盛り線が設けられた保護シートをパネル本体の面内に貼付した建材用パネルを用いて壁面等を施工する方法であって、
前記目盛り線を参照して割り付け若しくは水平出しを行った後に、必要に応じて特定の目盛り線を基準とした切断を行い、施工後若しくはその直前に前記保護シートを剥離することを特徴とする建材用パネルの施工方法。
【発明の詳細な説明】
【技術分野】
【０００１】
本発明は、建材用パネル及びその施工方法に係り、特に、施工現場での内壁施工に際して作業を効率的に行うことができるとともに、作業精度も良好に確保することのできる建材用パネル及びその施工方法に関する。
【背景技術】
【０００２】
従来より、建物の内壁等を施工するに際し、工場で予め定型的に形成された略方形の建材用パネルを現場に搬送し、当該現場にて所定の割り付けや、水平出しを行い、必要が生じたときに、切断等を行って建材用パネルを躯体側に固定する作業が行われている。
【発明の開示】
【発明が解決しようとする課題】
【０００３】
しかしながら、このような建材用パネルを切断する場合には、前述した割り付け作業に基づいてパネル面を罫書して切断箇所をマーキングし、それを目視しながら切断を行うことが必要となり、これが作業を複雑化させる要因となっている。しかも、罫書き作業は、一定の熟練を要することにもなる。
【０００４】
［発明の目的］
本発明は、このような不都合に着目して案出されたものであり、その目的は、切断が必要なときに、その切断箇所を容易に特定することができるとともに、水平、位置等の確認作業を極めて容易に行うことができる建材用パネル及びその施工方法を提供することにある。
【課題を解決するための手段】
【０００５】
前記目的を達成するため、本発明は、パネル本体の面に保護シートが貼付された建材用パネルであって、
前記保護シートの面内に目盛り線を設ける、という構成を採っている。
【０００６】
前記建材用パネルにおいて、前記目盛り線は、パネル本体の縦横に沿ってそれぞれ略平行に延びて升目を形成することが好ましい。
【０００７】
また、本発明は、目盛り線が設けられた保護シートをパネル本体の面内に貼付した建材用パネルを用いて壁面等を施工する方法であって、
前記目盛り線を参照して割り付け若しくは水平出しを行った後に、必要に応じて特定の目盛り線を基準とした切断を行い、施工後若しくはその直前に前記保護シートを剥離する、という方法を採っている。
【発明の効果】
【０００８】
本発明によれば、保護シートに目盛り線が形成されているため、割り付け作業を行ったときに、特定の建材用パネルを切断する必要が生じても、目視にて当該切断箇所を特定することができることとなる。
従って、割り付けを行った後の切断にあたり、前記特定した箇所を参照しながら切断を行えばよいことになり、切断に先立って罫書き作業等を行う必要性を排除することができる。
また、目盛り線が格子状の升目によって形成されている場合には、直線状に切断する際の切断線若しくはその基準線として目盛り線を利用することができ、切断を精度良く行うことが可能となる。特に、目盛り線の間隔がミリ単位で形成されているような場合には、切断を行うべきライン上に目盛り線が存在し易い状態となる。この場合には、当該目盛り線上を切断すればよいことになるため、切断時の直線性を良好に保って作業精度を向上させることができる。
【発明を実施するための最良の形態】
【０００９】
以下、本発明の好ましい実施の形態について図面を参照しながら説明する。
【００１０】
図１には、本発明の建材用パネルに係る一実施形態の概略斜視図が示され、図２には、図１のＡ−Ａ線に沿う一部拡大断面図が示されている。これらの図において、建材用パネル１０は、平面形状が略方形に形成されたパネル本体１１と、このパネル本体１１の表面に貼付された樹脂製フィルム等からなる保護シート１２とにより構成されている。本実施形態におけるパネル本体１１は、特に限定されるものではないが、縦横サイズがそれぞれ１８００ｍｍ、９００ｍｍとなる大きさに裁断されたものであり、合板、人工大理石等の樹脂板、金属板等、種々の板材が採用される。
【００１１】
前記保護シート１２は、目盛り線１３が印刷されたものが用いられている。この目盛り線１３は、例えば、縦横各方向に沿って、等間隔を隔てて直線を印刷することで升目を表出する状態に設けられている。この保護シート１２は、パネル本体１１への接着を、いわゆる仮着状態とすることができる接着剤を裏面側に備えて構成されている。この接着剤としては、パネル本体１１から保護シート１２を剥離したときに、パネル本体１１側に接着剤の転移が生じないタイプのものが好ましい。例えば、感圧性接着剤等が例示できる。
【００１２】
前記目盛り線１３は、縦線１３Ａ及び横線１３Ｂを、例えば、１ミリ若しくは数ミリ単位の間隔となるように印刷したタイプや、数センチ単位の間隔となるように印刷したタイプのものを用いることができるが、これらの間隔若しくは一つの方形の大きさは、パネル本体１１の用途等に応じて任意に変更することができる。
【００１３】
以上の構成において、前記建材用パネル１０を用いて建物の内壁面を施工する場合には、初期作業として施工面に対して建材用パネル１０を割り当てる。この際、目盛り線１３を用いて水平、鉛直各方向の位置出しを行うことができる。
【００１４】
割り出しにより、特定の建材用パネル１０の一縁若しくは直交二縁の切断が必要になったときは、切断すべきラインを特定できる適当な印を付しておき、当該印が付された位置で、目盛り線１３を参照しながら直線的に切断すればよい。
【００１５】
このようにして各建材パネル１０を建物の躯体側に取り付けた後に、保護シート１２を剥離することにより、中間的な作業に際してパネル本体１１を汚損することがなく、且つ、施工完了後において、寸法的及び位置的に調整が取れた状態で内壁面を構築することができる。
【００１６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１７】
例えば、前記実施形態では、升目状の目盛り線１３を設けた場合を図示、説明しているが、目盛り線１３は、保護シート１２の外縁側にのみ形成したものでもよい。また、目盛り線１３として太線、細線を用い、線の太さを相違させて単位を示す線毎に使い分けすることもできる。つまり、パネル本体１１の端縁を基準として、例えば、１０ｃｍ刻みとなる位置の線を太線として他の線を細線とする等、見易い表示を付することもできる。また、太線、細線に代えて、或いはこれを併用して色違いの線を用いることでもよい。
【００１８】
更に、パネル本体１１の外縁から一定量突出する舌片等を保護シート１２に設けておけば、パネル本体１１から保護シート１２を剥離する際の摘み片として舌片を利用することができる。
【００１９】
また、保護シート１２としては、樹脂製のフィルムが用いられた場合を説明したが、本発明は、紙製シートの利用を妨げるものではない。要するに、本発明は、施工時の作業省力化と、施工精度の向上を図ることができる目盛り線が用いられたシートによってパネル本体１１が保護されたものであれば足りる。
【図面の簡単な説明】
【００２０】
【図１】本実施形態に係る建材用パネルの概略斜視図。
【図２】図１のＡ−Ａ線に沿う矢視拡大断面図。
【符号の説明】
【００２１】
１０…建材用パネル、１１…パネル本体、１２…保護シート、１３…目盛り線
【図１】
2005248648.tif 000003
【図２】
2005248648.tif 000004